(57)【要約】【課題】バイアル瓶を一方の容器として使用した場合の部品点数の削減および構成の簡素化を図る。【解決手段】溶解液容器１にスリーブ１３が一体化するように連結されるとともに、バイアル瓶２がそのスリーブ１３に軸線方向に前後動可能でかつ回転可能に挿入され、バイアル瓶２の前記スリーブ１３から突出している端部に該端部を密閉するゴムキャップ１１が圧入され、そのゴムキャップ１１をバイアル瓶２に対して抜け止めしている外蓋１２が、前記ゴムキャップ１１に被せられるとともにバイアル瓶２に形成されたフランジ９に係合させられ、さらにその外蓋１２を構成している筒状のスカート部１２ｂの先端部が前記スリーブ１３に連結されている。【選択図】図１
2014043258.tif 000002
【特許請求の範囲】
【請求項１】
薄膜材によって密閉した開口端同士を向かい合わせて配置した二つの容器がスリーブによって連結されるとともに、前記薄膜材によって密閉された開口端同士の間に、その薄膜材に突き刺さる刃を備えた開封具が配置され、前記二つの容器を接近させて各薄膜材に前記開封具の刃を突き刺して各容器を開封し、それぞれの容器に収容されていた物質を混合させるように構成された二物質混合用容器において、
前記一方の容器に前記スリーブが一体化するように連結されるとともに、他方の容器がそのスリーブに軸線方向に前後動可能でかつ回転可能に挿入され、
該他方の容器の前記スリーブから突出している端部に該端部を密閉するゴムキャップが圧入され、
そのゴムキャップを前記他方の容器に対して抜け止めしている外蓋が、前記ゴムキャップに被せられるとともに前記他方の容器に形成されたフランジに係合させられ、
さらにその外蓋を構成している筒状のスカート部の先端部が前記スリーブに連結されている
ことを特徴とする二物質混合用容器。
【請求項２】
前記外蓋の前記スリーブに対する相対移動を規制するロック用凹部と該ロック用凹部に係合する突起部との一方が前記外蓋と前記スリーブとのいずれか一方に形成され、かつ前記ロック用凹部と前記突起部との他方が前記外蓋と前記スリーブとのいずれか他方に形成され、
前記突起部を前記スリーブの軸線方向とそれに続けて回転方向に案内するガイド溝が前記外蓋と前記スリーブとのいずれかに形成されている
ことを特徴とする請求項１に記載の二物質混合用容器。
【請求項３】
前記スカート部の先端を突き当てて、前記他方の容器が前記一方の容器に接近する方向に前記外蓋が移動することを阻止するストップリングが、前記スリーブの外周側に嵌合されていることを特徴とする請求項１または２に記載の二物質混合用容器。
【発明の詳細な説明】
【技術分野】
【０００１】
この発明は、互いに別々に製造およびストックされ、使用する際に混合される二種類の物質を混合するように構成された容器に関するものである。
【背景技術】
【０００２】
製造およびストックされている状態では分離されており、使用に際して混合される物質が各種の分野で用いられている。この種の用途に供される容器が特許文献１や特許文献２に記載されている。特許文献１に記載された容器は、アルミ箔で閉じられた上部開口端を有する下側容器と、これと同様にアルミ箔で閉じられた下部開口端を有する上側容器とを備えており、これらの各開口端が、円筒体の上下両側にねじ込まれて連結されるように構成されている。その円筒体の軸線方向でのほぼ中央部には、下側容器のアルミ箔および上側容器のアルミ箔を突き破るリング状の突起体が設けられている。さらに、下側容器と上側容器との間には、それぞれの容器の肩部に突き当てられたストッパーリングが挟み込まれており、そのストッパーリングは上下に二分割されていて、下側のストッパーリングの上端部が、破断可能な連結帯によって前記円筒体に連結され、また上側のストッパーリングの下端部が，破断可能な連結帯によって前記円筒体に連結されている。
【０００３】
したがって、特許文献１に記載された容器では、上側容器を下側容器に対して回転させると、ネジの作用によって上下の容器の少なくともいずれか一方が円筒体に対してねじ込まれる力が生じ、これによっていずれかの連結帯が破断して上側容器もしくは下側容器が円筒体の中にねじ込まれる。その結果、突起部がアルミ箔を突き破り、最終的には上下両方のアルミ箔が破断させられて上側容器と下側容器とが連通し、それぞれに収容されていた液体が混ざり合う。
【０００４】
また、特許文献２には液体同士だけでなく、液体と粉体とを混合させることのできる混合容器が記載されている。この特許文献２に記載された混合容器は、開口端がアルミニウムフォイルでシールされた下側容器に円筒状のホルダーを嵌合させて一体化させ、下端開口部を同様にシールした上側容器の下部をそのホルダーに上側から液密状態に嵌合させて構成されている。そのホルダーの上端部と上側容器の肩部との間に、一部切り開いたリング状の安全ピンが嵌合させられ、その安全ピンを嵌め込んでいる状態では、上側容器を押し下げられないようになっている。また、それぞれホルダーの内部に挿入されている下側容器の上端部と上側容器の下端部との間には、中心部に上下両方向に頂点を持った刃が配置され、その刃は外周部に上下に貫通させた複数本のピンによって下側容器と上側容器との間に保持されている。
【０００５】
したがって、特許文献２に記載された混合容器では、上記の安全ピンを抜き取ることにより上側容器を押し下げることが可能になり、その状態で上側容器を押し下げると、刃を保持しているピンが撓んで上下両方の容器の開口部が接近し、その結果、刃が上下それぞれのシールを突き破り、上下両方の容器が連通し、それぞれに収容されていた液体あるいは粉体が混合する。
【先行技術文献】
【特許文献】
【０００６】
【特許文献１】実公平３−２２１３１号公報
【特許文献２】実公昭５７−４３７８５号公報
【発明の概要】
【発明が解決しようとする課題】
【０００７】
引用文献１に記載された混合容器は、容易に破断する連結帯を中間部に設けたストッパーリングによって下側容器と上側容器とを所定の間隔に保持するように構成されているが、その連結帯は容易に破断するよう構成されたものであるから、容器を組み立てるときや容器を店舗などに搬送しているときに上側容器が不用意に押し下がってしまって、意図せずにアルミ箔が破断し、各容器の内容物が混合してしまうおそれがある。また、開封させる際に、下側容器と上側容器とのアルミ箔を別々に開封させる必要があり、開封が難しい。
【０００８】
一方、特許文献２に記載された混合容器では、カッターが単体であるため、刃が上下で突出しており、容器を組み立てるときに、アルミニウムフォイルを傷つけてしまうおそれがある。さらに、安全ピンを備えているから、不用意に二液が混合してしまうことを防止することができるが、二液を混合して撹拌するときに上側容器もしくは下側容器が軸方向に動いてしまうおそれがあり、さらに、その安全ピンを嵌めるための肩部や小径部を上側容器に形成しなければならず、上側容器の形状が制約を受ける不都合がある。例えば、上側容器として、凍結乾燥製剤を入れるバイアル瓶を用いる場合、その形状はバイアル瓶としての本来の機能に適したものとし、かつ凍結乾燥処理に適したものが好ましいが、その形状に更に混合容器として用いる場合のいわゆるロック機能のための形状を付加しなければならなくなる。
【０００９】
この発明は上記の事情を背景としてなされたものであり、構成の簡素化や部品点数の削減を図ることによって、組み立て易く、開封し易く、誤開封の心配がなく、混合させて撹拌するときに二つの容器が軸方向に動いてしまうおそれのない二物質混合用容器を提供することを目的とするものである。
【課題を解決するための手段】
【００１０】
上記の目的を達成するために、請求項１の発明は、薄膜材によって密閉した開口端同士を向かい合わせて配置した二つの容器がスリーブによって連結されるとともに、前記薄膜材によって密閉された開口端同士の間に、その薄膜材に突き刺さる刃を備えた開封具が配置され、前記二つの容器を接近させて各薄膜材に前記開封具の刃を突き刺して各容器を開封し、それぞれの容器に収容されていた物質を混合させるように構成された二物質混合用容器において、前記一方の容器に前記スリーブが一体化するように連結されるとともに、他方の容器がそのスリーブに軸線方向に前後動可能でかつ回転可能に挿入され、該他方の容器の前記スリーブから突出している端部に該端部を密閉するゴムキャップが圧入され、そのゴムキャップを前記他方の容器に対して抜け止めしている外蓋が、前記ゴムキャップに被せられるとともに前記他方の容器に形成されたフランジに係合させられ、さらにその外蓋を構成している筒状のスカート部の先端部が前記スリーブに連結されていることを特徴とするものである。
【００１１】
また、請求項２の発明は、請求項１の発明において、前記外蓋の前記スリーブに対する相対移動を規制するロック用凹部と該ロック用凹部に係合する突起部との一方が前記外蓋と前記スリーブとのいずれか一方に形成され、かつ前記ロック用凹部と前記突起部との他方が前記外蓋と前記スリーブとのいずれか他方に形成され、前記突起部を前記スリーブの軸線方向とそれに続けて回転方向に案内するガイド溝が前記外蓋と前記スリーブとのいずれかに形成されていることを特徴とする二物質混合用容器である。
【００１２】
さらに、請求項３の発明は、請求項１または２の発明において、前記スカート部の先端を突き当てて、前記他方の容器が前記一方の容器に接近する方向に前記外蓋が移動することを阻止するストップリングが、前記スリーブの外周側に嵌合されていることを特徴とする二物質混合用容器である。
【発明の効果】
【００１３】
この発明によれば、一方の容器に一体化するように連結されているスリーブに、他方の容器が軸線方向および回転方向に相対移動できるように挿入されており、当該他方の容器のスリーブから突出した端部にはゴムキャップが圧入され、そのゴムキャップを抜け止めしている外蓋が前記他方の容器の端部に被せられている。その外蓋は、他方の容器から外れないように当該他方の容器に係合させられており、かつその外蓋におけるスカート部がスリーブに連結されている。したがって、外蓋はゴムキャップの抜け止めのための機能と、前記他方の容器をスリーブを介して前記一方の容器に連結しておく機能とを兼ね備えることになり、その分、部品点数を少なくして構成を簡素化することができ、組み立て易く、開封し易く、誤って開封してしまう心配がない混合用容器となっている。また、前記他方の容器は、混合用容器として構成するための特別な形状もしくは部分を備える必要がないので、当該他方の容器の形状の制約を少なくすることができる。
【図面の簡単な説明】
【００１４】
【図１】この発明に係る混合用容器の一例を示す断面図である。
【図２】そのスリーブに形成されている溝の形状および係合用凹部を示す部分的な側面図である。
【図３】そのバイアル瓶を溶解液容器側に押し込んで薄膜材に刃を突き刺した状態の断面図である。
【図４】この発明に係る混合用容器の他の例を示す断面図である。
【発明を実施するための形態】
【００１５】
この発明を具体例に基づいて説明する。この発明に係る混合用容器は、液体と粉体とを混合させるための容器、あるいは種類の異なる液体同士もしくは粉体同士を混合するための容器であって、以下に示す具体例では、凍結乾燥した粉体と、これを溶解させる溶液とを混合させるように構成した例について説明する。図１はその一例を示す断面図であって、ここに示す混合用容器は、下側の溶解液容器１に上側の容器としてバイアル瓶２を連結し、バイアル瓶２に収容してある凍結乾燥製剤を溶解液容器１中の溶解液に混合させるように構成されている。その溶解液容器１は、本体部分３とその上部に形成された連結のための口頸部４とを備えている。その本体部分３は軟質のプラスチックで形成され、内圧の変化を変形によって吸収するように構成されている。立方体状もしくは直方体状をなし、その四面が幾分窪んでいて、その四面が外側に容易に膨らむことにより内圧の上昇を抑制するように構成されている。口頸部４は、所定の剛性もしくは強度を有するように、本体部分３と同じ素材で厚肉に形成され、その外周面に突条部５が形成されている。そして、口頸部４の上端部（開口端部）には、容易に破断しかつ気密性や液密性を担保できる薄膜材（例えばアルミシート）６が貼り付けられていて、その薄膜材６によって密閉されている。さらに、その薄膜材６の上面側に、開封具７が配置されている。
【００１６】
この開封具７は口頸部４の上端部の輪郭と等しい輪郭の環状枠７ａの内側に複数（例えば４枚）の刃７ｂが設けられている。これらの刃７ｂは、アルミシートなどの薄膜材に突き刺さって薄膜材を破断し、かつ薄膜材の面方向に移動して薄膜材を切り開くためのものであって、中心部の連結部７ｃから環状枠７ａまでの間に半径方向に向けて設けられている。各刃７ｂの厚さは、上側ほど薄く、かつ外周側ほど厚くなっており、また高さは、中心側（前記連結部７ｃ側）で低く、外周側で最も高くなっていて、その外周端の部分が最も突出して尖っている。そして、各刃７ｂの上端縁（半径方向に沿う稜線）７ｄが薄膜材を突き刺す際の切断刃となっている。また、各刃７ｂの一方の側面（環状枠７ａの円周方向での一方の側面）は環状枠７ａを含む平面に対して垂直になっているのに対して、当該一方の側面と共に上記の切断刃７ｄを形成している他方の側面は環状枠７ａを含む平面に対して傾斜している。したがって、当該傾斜面と刃７ｂの外周側の端面とが交わるエッジ７ｅが傾斜したエッジになっており、このエッジ７ｅが薄膜材をその面方向に切り込む切断刃となっている。なお、複数の刃７ｂの間の部分は扇状に開いていて、前記口頸部４を密閉している薄膜材６が露出している。
【００１７】
一方、バイアル瓶２は、真空凍結乾燥処理に耐え得る耐熱性および強度を備え、かつ真空凍結乾燥処理によって得られた粉末を気密状態で収容しておくことのできる容器であって、その本体部分８は、前述した口頸部４より僅かに小径の円筒状に形成されていて、その上端部に外周側に延び出ているフランジ９が形成されている。またその本体部分８の下端部には、容易に破断しかつ気密性や液密性を担保できる薄膜材（例えばアルミシート）１０が貼り付けられていて、その薄膜材１０によって密閉されている。この薄膜材１０の表面側、すなわちバイアル瓶２の下端面に、前述した溶解液容器１側の開封具７と同じ構成の開封具７がその刃７ｂを下方向に突出させた状態で設けられている。また、開封具７は溶解液容器１側の刃７ｂとバイアル瓶２側の刃７ｂとが互いに接していて、バイアル瓶２側の刃７ｂが時計方向で下流側に位置するように配置されている。なお、この開封具７は、薄膜材１０と予め一体化されていてもよく、あるいは薄膜材１０の表面に貼着されていてもよく、さらには適宜な手段で本体部分８の下端部に連結されていてもよい。
【００１８】
本体部分８の上端開口部にはゴムキャップ１１が圧入されている。そのゴムキャップ１１は上記の本体部分８の内径以上の外径の円柱部分１１ａと、その円柱部分１１ａの上端部に形成されたフランジ部１１ｂとを備えており、さらにその円柱部分１１ａには、直径方向に沿った切り込み１１ｃが、下端部から軸線方向でのほぼ中央部に到る範囲に形成されている。この切り込み１１ｃは、ゴムキャップ１１を半打栓状態まで本体部分８に圧入した場合に、本体部分８の内部と外部とを連通させるためのものである。
【００１９】
ゴムキャップ１１の上側に外蓋１２が取り付けられている。この外蓋１２は、ゴムキャップ１１の抜け止めを兼ねたものであって、アルミニウムあるいはその合金製の薄板によって形成されている。この外蓋１２は、本体部分８に完全に打栓されたゴムキャップ１１上に被せられ、その外周部を本体部分８におけるフランジ９の下側に絞り込ませることにより、フランジを９を挟み込んだ状態で本体部分８に取り付けられている。さらに、フランジ９を挟み込んでいる絞り込み部１２ａから下側に延びた円筒状のスカート部１２ｂを備えており、そのスカート部１２ｂの下端部の内面に、内側に突出した複数の係合用突起部１２ｃが円周方向に一定の間隔をあけて形成されている。なお、外蓋１２の上面中央部に開口部１２ｄが形成され、ここからゴムキャップ１１に注射針（図示せず）を突き刺すことができるようになっている。
【００２０】
つぎに、上記の溶解液容器１とバイアル瓶２とを連結させるスリーブ１３について説明する。図に示す具体例では、スリーブ１３は下側容器である溶解液容器１に一体化するように構成されている。スリーブ１３の下端側の部分の内径は、前述した溶解液容器１における口頸部４に形成されている突条部５の外径とほぼ等しい内径の円筒状に形成されており、その下端部の内面には突条部５の下側に係合する係合用突起１４が形成されている。また、突条部５の図での上面に係合しかつ口頸部４の外周面に液密状態もしくは気密状態に密着するＯリング１５がスリーブ１３の内周面に嵌合させられている。このＯリング１５は、スリーブ１３の内周面に形成されている段差部（肩部）と突条部５の上面との間に挟み込まれるようになっており、したがってスリーブ１３は、Ｏリング１５を介して口頸部４に密着嵌合するとともに突条部５の外周面に密着嵌合して溶解液容器１に取り付けられている。その状態では、係合用突起１４とＯリング１５とで突条部５を上下方向で挟み付けているので、結局、スリーブ１３は溶解液容器１に一体化されている。
【００２１】
スリーブ１３の溶解液容器１より上側に延びている部分は、前述したバイアル瓶２の本体部分８の外径と等しい内径の円筒状に形成されており、ここにバイアル瓶２の本体部分８が挿入されている。なお、スリーブ１３の内周面とバイアル瓶２の本体部分８の外周面との間は、スリーブ１３の内周面に嵌め込んであるシールリング１６によって液密状態もしくは気密状態に封止されている。スリーブ１３の上端部はそれより下側の部分より外径が小さくなっており、その部分が肩部１７となっている。この肩部１７の上側にストップリング１８が嵌め込まれている。このストップリング１８は一部にスリットが入れられていてそのスリットの部分が開くことによりスリーブ１３から取り外すことのできるほぼ環状をなす部材であって、その幅（軸線方向の長さ）は肩部１７からスリーブ１３の上端までの長さの半分程度になっている。そして、このストップリング１８の上端部に、前述した外蓋１２におけるスカート部１２ｂの下端が当接している。すなわち、ストップリング１８は、外蓋１２の下端を当接させることにより、外蓋１２やバイアル瓶２がスリーブ１３に対してそれ以上に押し下がらないようにそれらの位置を保持している。
【００２２】
外蓋１２の下端がスリーブ１３に嵌合している状態を維持するための構成について説明すると、スリーブ１３の上端外周面で前述したストップリング１８より上側の部分に、前記スカート部１２ｂの下端内面に形成されている係合用突起部１２ｃを嵌め込むガイド溝およびロック用凹部が形成されている。図２はその一例を示す部分側面図であって、スリーブ１３の上端から斜めに螺旋溝１９ａが形成され、その先端側に僅かな間隔をあけて第一のロック用凹部１９ｂが形成されている。すなわち、外蓋１２をスリーブ１３に対して回転させることにより、そのスカート部１２ｂの下端に形成された係合用突起部１２ｃが螺旋溝１９ａに沿って螺旋方向に移動し、その結果、外蓋１２がスリーブ１３に対して螺合した状態になる。そして、係合用突起部１２ｃが螺旋溝１９ａの先端側の部分を乗り越えてロック用凹部１９ｂに嵌まり込むと、外蓋１２のスリーブ１３に対する相対移動に抵抗力が作用することになり、したがって外蓋１２をスリーブ１３に取り付けた状態が維持される。
【００２３】
上記の第一のロック用凹部１９ｂの下側に上下方向（軸線方向）に続けて水平方向（円周方向）に延びた開封溝１９ｃが形成され、その水平方向に延びている部分の先端側に僅かな間隔をあけて第二のロック用凹部１９ｄが形成されている。したがって、係合用突起部１２ｃが上記の第一のロック用凹部１９ｂに嵌まり込んでスリーブ１３に取り付けられている外蓋１２を強く押し下げると、係合用突起部１２ｃが第一のロック用凹部１９ｂから抜け出て開封溝１９ｃに入り込む。すなわち、外蓋１２およびこれと一体に連結されているバイアル瓶２がスリーブ１３および溶解液容器１に対して押し下げられ、ついで回転させることが可能になる。そして、所定角度回転させた後、強く回転させると、係合用突起部１２ｃが開封溝１９ｃを抜け出て第二のロック用凹部１９ｄに嵌まり込み、外蓋１２およびバイアル瓶２がいわゆる開封位置に維持される。なお、開封溝１９ｃおよび第二のロック用凹部１９ｄは、前述したストップリング１８を取り外して外蓋１２がスリーブ１３に対して下降した場合に係合用突起部１２ｃが嵌まり込む位置に形成されている。
【００２４】
つぎに作用について説明する。図１はストップリング１８を嵌め込んである状態を示しており、溶解液容器１の口頸部４にスリーブ１３が嵌合させられ、また外蓋１２によってゴムキャップ１１が固定されているバイアル瓶２がスリーブ１３にその上側から挿入されている。その外蓋１２におけるスカート部１２ｂの下端部は、スリーブ１３の上端部の外周面にまで延びており、そのスカート部１２ｂの下端に形成されている係合用突起部１２ｃがスリーブ１３の螺旋溝１９ａを介して第一のロック用凹部１９ｂに移動して第一のロック用凹部１９ｂに係合することにより外蓋１２がスリーブ１３に連結されている。すなわち、スリーブ１３に嵌合させたバイアル瓶２が、スリーブ１３から抜け出ないように外蓋１２によって固定されている。また、スカート部１２ｂの下端がストップリング１８に突き当たっており、したがってバイアル瓶２に不用意に掛かる押し下げる力を外蓋１２およびストップリング１８ならびにスリーブ１３を介して溶解液容器１で受け、溶解液容器１とバイアル瓶２とが互いに接近することが阻止されている。このように、本発明の二物質混合用容器は、開封具７を溶解液容器１側とバイアル瓶２側とにそれぞれ配置しているため、薄膜材６，１０をまったく傷つけるおそれもなく組み立てることが可能である。また、このとき、開封具７の各刃７ｂは、バイアル瓶２側の刃７ｂが時計方向の下流側に位置した状態で、溶解液容器１側の刃７ｂと互いに接して組み付けられている。
【００２５】
溶解液容器１に収容されている溶解液とバイアル瓶２に収容されている凍結乾燥製剤とを混合する場合、先ず、ストップリング１８をスリーブ１３から引き抜き、外蓋１２をスリーブ１３に対して下降させることができる状態にする。ついで、外蓋１２に強い押し下げ力を掛けると、スカート部１２ｂの下端内面に形成されている係合用突起部１２ｃが第一のロック用凹部１９ｂから抜け出て前述した開封溝１９ｃに入り込む。その結果、外蓋１２およびこれと一体になっているバイアル瓶２を容易に押し下げ、かつ回転させることができる。図３は外蓋１２およびバイアル瓶２を押し下げた状態を示しており、溶解液容器１の上端部とバイアル瓶２の下端部とが互いに接近することにより、それぞれに設けられている開封具７の刃７ｂが相手側の薄膜材６，１０に突き刺さり、薄膜材６，１０に切り込みが入る。
【００２６】
各開封具７における刃７ｂは、中心部に設けられている連結部７ｃから半径方向に向けて設けられているから、各薄膜材６，１０は上記の連結部７ｃに対応する部分は切断されずに残っていてその部分を介して直径方向で対向する箇所（もしくはほぼ対向する箇所）が連結された状態に維持される。すなわち、薄膜材６，１０の複数箇所に切り込みが入れられるが、他の部分には張力が作用している状態が維持され、薄膜材６，１０は張った状態になっている。
【００２７】
外蓋１２およびバイアル瓶２を上記のように押し下げた後、これらを時計方向に回転させると、バイアル瓶２と共にその下端部に取り付けられた開封具７が回転する。その回転方向は刃７ｂの外周側の端部に形成されているエッジ（切断刃）７ｅが薄膜材６を切り込んでいく方向である。バイアル瓶２が上記のように回転すると、溶解液容器１側の開封具７がバイアル瓶２に対してバイアル瓶２の回転方向とは反対方向に回転することになるから、溶解液容器１側に開封具７の刃７ｂがバイアル瓶２を密閉している薄膜材１０を切り込んでいくことになる。
【００２８】
各刃７ｂの外周端に形成されているエッジ７ｅが切断刃になっているから、それらのエッジ７ｅは、各薄膜材６，１０の外周部を円弧状に切断することになる。各刃７ｂは前述したように半径方向に沿って配置された板状であるから、上記のエッジ７ｅによって円弧状に切断された部分は、それぞれに対応する刃７ｂによって押され、それに伴って次第に丸められる。すなわち、各薄膜材６，１０には張力が作用していて張った状態になっており、その状態で上記のエッジ７ｅによって切り進むから、切断線が設計上想定されている円弧状になり、また切断されて張力が掛からなくなった部分は張力が作用して張った状態になっている部分に支えられており、切断されて張力が掛からなくなった部分を刃７ｂによって押すから、切断されて張力が掛からなくなった部分が想定された形状に丸められる。なお、切断されて張力が掛からなくなった部分は、薄膜材６，１０の材質によっては丸まらずに折り畳んだ状態にまとめられる。いずれにしても、切断された薄膜材６，１０は、特定の形状に纏められる。このとき、バイアル瓶２側の刃７ｂは時計方向下流側に位置する溶解液容器１側の刃７ｂに接して停止し、同時に、係合用突起部１２ｃが第二のロック用凹部１９ｄに入り込み、外蓋１２が固定される。
【００２９】
このようにして溶解液容器１およびバイアル瓶２が開封されると、バイアル瓶２に封入されていた粉末が溶解液容器１内に落下し、その溶解液に溶け込む。その場合、溶解液容器１およびバイアル瓶２の開口端には、開封具７の刃７ｂや連結部７ｃあるいは薄膜材６，１０の切り残し部分が横切って残っていることになるが、それらの形状は設計上特定されている形状であるうえに、薄膜材６，１０の切断された部分の形状も上記のように特定されたものとなっているので、バイアル瓶２に収容されていた粉末が潜り込んでしまったり、溶解されないままになったりすることが防止もしくは抑制される。特に、係合用突起部１２ｃが第二のロック用凹部１９ｄに係合しているので、スリーブ１３によって連結されている溶解液容器１およびバイアル瓶２を強く振っても、外蓋１２が動いてしまうおそれなく内部の溶液を撹拌することができるから、未溶解の粉末が残置されることを確実に回避し、内容液の濃度のばらつきなどを防止することができる。
【００３０】
また、この発明に係る上記の混合用容器においても、スリーブ１３で連結した溶解液容器１とバイアル瓶２とを互いに接近させるから、溶解液容器１とバイアル瓶２とを開封して連結した状態では、全体としての内容積がそれ以前の状態での内容積より小さくなる。しかしながら、上記の構成では、溶解液容器１の本体部分３が容易に膨張する軟質構造になっているから、内圧が高くなることを防止もしくは抑制することができる。したがって、前記ゴムキャップ１１に注射針を突き刺して内溶液を取り出す際に、内容液が噴き出すなどの事態を未然に防止することができる。
【００３１】
上述したようにこの発明に係る混合用容器においては、ゴムキャップ１１を押さえ込んでいる外蓋１２が、バイアル瓶２をスリーブ１３に連結する部材を兼ねており、したがってゴムキャップ１１を固定する部材のほかに、バイアル瓶２をスリーブ１３に連結するための部材を設ける必要がない。そのため、部品点数を少なくすることができ、またバイアル瓶２の外形形状を、混合用容器として組み立てるための特別な形状とする必要性がなく、その製造や取り扱いなどが容易になる。
【００３２】
なお、この発明は上述した具体例に限定されないのであって、外蓋１２は金属によらず、合成樹脂製としてもよい。その例を図４に示してあり、ここに示す混合用容器における外蓋１２は、合成樹脂によって一体に形成されている。具体的に説明すると、この外蓋１２は全体としてほぼ有底円筒状をなしており、その底部に相当する部分すなわちゴムキャップ１１に接触してゴムキャップ１１を押さえ込む部分に前述した開口部１２ｃが形成されている。また、円筒状の部分が前述したスカート部１２ｂであって、その内面には前述した絞り込み部１２ａに替わる突起１２ｅが内側に突出して形成されている。すなわち、上記の底部に相当する部分をゴムキャップ１１の上面に密着させた状態で突起１２ｅをバイアル瓶２のフランジ９の下側に係合させることにより、ゴムキャップ１１をバイアル瓶２に対して固定するように構成されている。さらに、スカート部１１ｂの下端内面に、スリーブ１３のガイド溝に係合する係合用突起部１２ｃが形成され、その係合用突起部１２ｃがガイド溝のうちの第一のロック用凹部１９ｂに嵌まり込んでいる状態で、スカート部１２の下端縁がストップリング１８に当接するように構成されている。
【００３３】
したがって、図４に示すように構成された混合用容器であっても、ストップリング１８を取り除いた状態で外蓋１２を押し下げれば、外蓋１２と共にバイアル瓶２が溶解液容器１側に押し下げられ、その結果、各開封具７における刃７ｂが前述した図３に示すように、バイアル瓶２および溶解液容器１における薄膜材１０，６に突き刺さる。そして、外蓋１２を回転させることによりこれと一体のバイアル瓶２が回転し、その結果、各薄膜材１０，６が刃７ｂによって円弧状に切り開かれる。このように、図４に示すように構成した場合であっても、前述した図１に示すように構成した場合と同様の作用・効果を得ることができる。
【００３４】
上述した各具体例では、外蓋１２をスリーブ１３に対して軸線方向に移動させ、また回転させるためのガイド溝やロック用凹部をスリーブ１３に形成し、そのガイド溝に係合する係合用突起部１２ｃを外蓋１２に形成したが、この発明では、これとは反対に、ガイド溝をやロック用凹部外蓋のスカート部に形成し、かつ係合用突起部をスリーブに形成してもよい。
【符号の説明】
【００３５】
１…溶解液容器、  ２…バイアル瓶、  ３…本体部分、  ４…口頸部、  ５…突条部、  ６…薄膜材（例えばアルミシート）、  ７…開封具、  ８…本体部分、  ９…フランジ、  １０…薄膜材（例えばアルミシート）、  １１…ゴムキャップ、  １２…外蓋、  １２ａ…絞り込み部、  １２ｂ…スカート部、  １２ｃ…係合用突起部、  １２ｄ…開口部、  １２ｅ…突起、  １３…スリーブ、  １８…ストップリング、  １９ａ…螺旋溝、  １９ｂ…第一のロック用凹部、  １９ｃ…開封溝、  １９ｄ…第二のロック用凹部。
【図１】
2014043258.tif 000003
【図２】
2014043258.tif 000004
【図３】
2014043258.tif 000005
【図４】
2014043258.tif 000006